(57)【特許請求の範囲】
【請求項１】
筐体と、該筐体内に設けられた記録媒体の駆動装置と、記録媒体を上記筐体内に挿入すると共に、その筐体内から外部に脱却するためにその筐体の一部を構成するパネルに設けられた挿脱口と、該挿脱口を開閉するシャッターとを有する電子機器において、
上記シャッターをスライド式シャッタにて構成すると共に、
上記シャッターによって上記挿脱口を閉じたとき、該シャッターを上記パネルに押し付ける複数の板ばねを設け、
上記複数の板ばねは、第１乃至第４の板ばねから構成されると共に、
上記スライド式シャッターが移動案内される互いに平行な上下一対のレールと、
上記シャッターが上記挿脱口を閉じるとき、該シャッターの左右の縁部の一方の縁部が衝合するストッパーと、
上記シャッターの移動に伴って、上記上下一対のレールによって移動案内される上下一対の筒体とを有し、
上記第１及び第２の板ばねは、上記シャッターの左右の縁部の一方の縁部が上記ストッパーに衝合したとき、該シャッターを上記パネルに押し付けるように、上記ストッパーに取付けられると共に、
上記第３及び第４の板ばねは、上記シャッターの左右の縁部の上記一方の縁部が上記ストッパーに衝合したとき、上記上下一対の筒体と接触して、上記シャッターを上記パネルに押し付けるように、上記シャッターの左右の縁部の他方の縁部寄りの上記一対のレールにそれぞれ対向する面上に取り付けられてなる電子機器。
【請求項２】
請求項１に記載の電子機器において、
上記記録媒体はテープカセットであると共に、上記記録媒体の駆動装置はテープカセット駆動装置であり、
複数の上記テープカセットをそれぞれ保持する保持手段を備えた回動テーブル並びに上記回動テーブルの上記保持手段及び上記テープカセット駆動装置間におけるテープカセットの搬送を行う搬送機並びに内部エアーを吐き出すファンが、上記筐体内に収容されてなると共に、上記筐体には、エアーフィルタを備えたエアー吸い込み口が設けられてなる電子機器。
【発明の詳細な説明】
【０００１】
【発明の属する技術分野】
本発明は、筐体と、その筐体内に設けられた記録媒体の駆動装置と、記録媒体をその筐体内に挿入すると共に、その筐体内から外部に脱却するためにその筐体の一部を構成するパネルに設けられた挿脱口と、その挿脱口を開閉するシャッターとを有する電子機器に関する。
【０００２】
【従来の技術】
データストリーマとしては、テープカセットが使用させることが多いが、大量のデータを書き込んだり、読出したりする場合には、かかるデータストリーマとしてのテープカセットを複数設け、これらテープカセットを選択して、カセット駆動装置に装填して、データの書込み及び読出しを行うようにしたライブラリー装置は、種々提案されている。
【０００３】
かかるライブラリー装置において、筐体と、その筐体内に設けられた記録媒体としてのデータストリーマ用テープカセットの駆動装置と、そのテープカセットをその筐体内に挿入すると共に、その筐体内から外部に脱却するためにその筐体の一部を構成するフロントパネルに設けられた挿脱口と、その挿脱口を開閉する回動式のシャッターとが設けられたものがある。
【０００４】
【発明が解決しようとする課題】
かかる従来のライブラリーでは、シャッターが回動式であるため、シャッターの回動に要する無駄な空間が必要であるという欠点があった。
【０００５】
かかる点に鑑み、本発明は、筐体と、その筐体内に設けられた記録媒体の駆動装置と、記録媒体をその筐体内に挿入すると共に、その筐体内から外部に脱却するためにその筐体の一部を構成するパネルに設けられた挿脱口と、その挿脱口を開閉するシャッターを有する電子機器において、シャッターの開閉に要する空間が小さくて済むと共に、シャッターが挿脱口を閉じているときは、パネルとシャッターとの間の密閉性が高くなって、パネルとシャッターとの間から、筐体の内部に外部からの塵埃や異物が侵入し難くなる電子機器を提案しようとするものである。
【０００６】
【課題を解決するための手段】
第１の発明は、筐体と、その筐体内に設けられた記録媒体の駆動装置と、記録媒体を筐体内に挿入すると共に、その筐体内から外部に脱却するためにその筐体の一部を構成するパネルに設けられた挿脱口と、その挿脱口を開閉するシャッターとを有する電子機器において、シャッターをスライド式シャッタにて構成すると共に、シャッターによって挿脱口を閉じたとき、そのシャッターをパネルに押し付ける複数の板ばねを設ける。さらに、複数の板ばねは、第１乃至第４の板ばねから構成されると共に、スライド式シャッターが移動案内される互いに平行な上下一対のレールと、シャッターが挿脱口を閉じるとき、そのシャッターの左右の縁部の一方の縁部が衝合するストッパーと、シャッターの移動に伴って、上下一対のレールによって移動案内される上下一対の筒体とを有し、第１及び第２の板ばねは、シャッターの左右の縁部の一方の縁部がストッパーに衝合したとき、そのシャッターをパネルに押し付けるように、ストッパーに取付けられると共に、第３及び第４の板ばねは、シャッターの左右の縁部の一方の縁部がストッパーに衝合したとき、上下一対の筒体と接触して、シャッターをパネルに押し付けるように、シャッターの左右の縁部の他方の縁部寄りの一対のレールにそれぞれ対向する面上に取り付けられてなる電子機器である。
【０００７】
第１の発明によれば、記録媒体を筐体内に挿入すると共に、その筐体内から外部に脱却するためにその筐体の一部を構成するパネルに設けられた挿脱口を、開閉するシャッターをスライド式シャッタにて構成すると共に、シャッターによって挿脱口を閉じたとき、複数の板ばねによって、シャッターをパネルに押し付ける。
【００１０】
第２の発明は、第１の発明の電子機器において、記録媒体はテープカセットであると共に、記録媒体の駆動装置はテープカセット駆動装置であり、複数のテープカセットをそれぞれ保持する保持手段を備えた回動テーブル並びに回動テーブルの保持手段及びテープカセット駆動装置間におけるテープカセットの搬送を行う搬送機並びに内部エアーを吐き出すファンが、筐体内に収容されてなると共に、筐体には、エアーフィルタを備えたエアー吸い込み口が設けられてなる電子機器である。
【００１１】
【発明の実施の形態】
以下に、先ず、本発明の実施の形態の例である電子機器としてのライブラリー装置の全体的構成を、図５及び図６を参照して説明する。図５は、ライブラリーを示す斜視図、図６はライブラリー本体を斜め下方から見た斜視図である。このライブラリーは、複数のテープカセット（ストリーマ）を保持し得、その各テープカセットの磁気テープに対し、データの記録及び再生を行い得る記録再生装置である。
【００１２】
１は、ライブラリー本体を示し、３０は、このライブラリー本体１を蓋する天板（カバー）である。このライブラリー本体１は、複数台を重ねたり、複数台をラックに収納することができ、１台のライブラリー本体１を、基本ユニットと称する。以下に、ライブラリー本体１の構成について、図５及び図６を参照して説明する。
【００１３】
２は筐体（ハウジング）を示し、一体に形成された底板２ａ、背面板２ｂ、側板２ｃと、前面を覆うフロントパネル２ｄと、側面の開口部を覆う補助板２ｅとから構成される。
【００１４】
図６において、３、３は、２台のカセット駆動装置をそれぞれ示す。この２台のカセット駆動装置３、３は、筐体２の底板２ａ上において、左側における前後方向の中間部に設けられている。図５に矢印Ｆで示す面が、ライブラリー本体１の前面であり、図６から分かるように、カセット駆動装置３、３におけるテープカセットの挿入口は、カセット駆動装置３、３の背面側に設けられている。
【００１５】
図５及び図６において、４は回動可能なカセット棚を示し、カセット駆動装置３の上の段であって、筐体２の前面側に配置されている。円形の支持部及び載置部で構成される回動テーブル５が、筐体２に対し、固定軸３６の周囲に回動自在に設けられる。この回動テーブル５上には、テープカセット７を収容するカセット保持部６が上下２段に一体に結合され、一体となったものが円周方向に沿って、例えば、８個結合されている。このカセット保持部６は、いずれも放射方向の外側へ向かって開口している。尚、回動テーブル５は、モータＭによって、歯車機構を介して駆動される。又、この回動テーブル５を所定回動角位置で止めるための、位置センサが設けられ、又、モータＭは、ＣＰＵ等によって、その回転及び停止が制御される。
【００１６】
回動テーブル５上の各カセット保持部６から、遠心力によって、テープカセット７が落下しないように、筐体２の底面２ａ上には、円を描くように、２個のフェンス９、９が、取付金具８を介して取付けられている。これらフェンス９、９と、各カセット保持部６内のテープカセット７との間隙は頗る狭い。図５から分かるように、筐体２の前面の挿脱口１２を蓋しているシャッター１３を横方向にスライドさせて、前面の挿脱口１２を開け、その前面の挿脱口１２を通じて、人手によって、テープカセット７を内部に挿入し、カセット棚４の背面側から搬送機１５により下方のカセット駆動装置３に装填するために、カセット棚４の前面側及び背面側にはフェンス９が存在しないようになされ、外ゲート１０及び内ゲート１１を構成している。外ゲート１０と対応する筐体２の前面のフロントパネル２ｄに、挿脱口１２が設けられている。挿脱口１２からは、上下に重ねられた２個のカセット保持部６内のいずれかのテープカセット７を取り出すことができる。フロントパネル２ｄの挿脱口１２の横側には、ＬＣＤ表示部（液晶表示部）１４が設けられいる。ＬＣＤ表示部１４の下側には、複数の操作釦１８が設けられている。フロントパネル２ｄの左右の下側には、エアーフィルタを有するエアー吸い込み口２０、１９が設けられている。これに関連して、筐体２の背面板２ｂには、内部エアーを排出する（吐き出す）ファン２１が設けれている。
【００１７】
搬送機１５は、カセット棚４とカセット駆動装置３、３との間で、テープカセット７を移送するために設けられるので、これらの背面側の左に配置されている。搬送機１５は、図６に示す如く、昇降台（移動台）１６と、昇降台１６を上下方向へ案内する２つのラックピラー（ガイド手段）１７、１７とで構成される。
【００１８】
以下に、図１〜図４を参照して、シャッター及びその関連部分について説明する。図１は、シャッターの正面図を示し、以下これについて説明する。５４、５５は、シャッターの左右のストッパーとしての金属板で、互いに平行に配されている。これらストッパー５４、５５と直交する一対のレール５２、５３が、ストッパー５４、５５間に架張されている。そして、このレール５２、５３に移動自在に案内されるように、シャッター５１（図５のシャッター１３に対応する）が取付けられる。
【００１９】
図１Ａは、シャッター５１が、フロントパネル２ｄ（図５参照）に設けられた挿脱口５０（図５の挿脱口１２に対応する）を閉じて、シャッター５１の左右の縁部の一方の縁部、即ち、向かって右の縁部がストッパー５５に衝合している状態を示す。又、図１Ｂは、図１Ａの状態から、シャッター５１が左方に僅か移動した状態を示す。
【００２０】
５６、５７は板ばねで、ストッパー５５の一部が折り曲げられて形成された板ばね取付け部５８に、取り付けられている。
【００２１】
図２に、これら板ばね５６、５７の側面図を示す。図２に明らかなように、これら板ばね５６、５７は湾曲している。シャッター５１が実線に示す位置（図１Ｂ参照）から、右方向に移動して、図１Ａに示すように、シャッター５１の左右の縁部の一方の縁部、即ち、向かって右の縁部がストッパー５５に衝合したとき、実線にして示す板ばね５６、５７が、シャッター５１の向かって右の縁部に押されて、破線にて示す板ばね５６′、５７′のように変形すると共に、その板ばね５６′、５７′によって、シャッター５１が、破線のシャッター５１′に示すように、フロントパネル４９（図３のフロントパネル２ｄに対応）側に押し付けられて、フロントパネル４９の挿脱口５０を密閉する如く閉じる。尚、シャッター５１の一部である５１ｂ（５１′ｂ）については後述する。
【００２２】
このように、シャッター５１がパネル４９の挿脱口５０（１２）を閉じるときは、板ばね５６、５７が、シャッター５１の図１において、向かって右の縁部側を、フロントパネル４９に押し付けるが、シャッター５１の図１において、向かって左の縁部側を、フロントパネル４９に押し付ける手段について、図３を参照して説明する。
【００２３】
図３Ａ、３Ｂに示す如く、シャッター５１の上側の両端には、上側のレール５２が通過する緩い透孔を有する凸部５１ａ、５１ｂが設けられている。又、シャッター５１の凸部５１ａ、５１ｂ間において、筒体６０がレール５２に嵌めこまれている。尚、図２における５１ｂ′は、凸部５１ｂの移動後の凸部を示す。
【００２４】
一方、レール５２は、図３Ｃに示す如く、点Ｐから右側は円形の断面を有するが、点Ｐから左側はＤ字状断面を有する。これに対応して、筒体６０には、断面がＤ字状の透孔が設けれられているので、筒体６０はレール５２の点Ｐの左側の部分しか移動できない。そして、図３Ａに示す如く、シャッター５１の右側縁がストッパー５５に衝合したとき、筒体６０が点Ｐと、シャッター５１の左側の凸部５１ａの右側の側面との間に位置するように、点Ｐの位置が設定されている。そして、このときに、その筒体６０と接触する如く、湾曲した板ばね６１が、シャッター５１上に取付けられている。
【００２５】
かくすると、図３Ｂに示す如く、シャッター５１の右縁はストッパ５５から離間しているときは、筒体６０はレール５２上のＤ字断面の部分のいずれかに位置しているが、そのシャッター５１が図３Ｂの状態から右方向に移動すると、図３Ａに示す如く、シャッター５１の右縁がストッパ５５に衝合すると、筒体６０が湾曲した板ばね６１上に乗り上げ、筒体６０及び板ばね６１の共同によって、シャッター５１は、フロントパネル４９側に押し付けられ、フロントパネル４９の挿脱口５０は、シャッター５１によって、密閉する如く閉じられる。
【００２６】
尚、図示を省略するが、シャッター５１の下側にも、図３の凸部５１ａ、５１ｂに対応する凸部が設けられ、これら２つの凸部には、図１における下側のレール５３が通過する緩い透孔が設けられている。シャッター５１の下側の凸部間において、図３の筒体６０に対応する筒体が設けれている。又、下側のレール５３も上側のレール５２と同等の形状を有していると共に、下側のレール５３に挿通される筒体も、筒体６０と同様の形状を有している。又、シャッター５１の右縁がストッパー５５に衝合するとき、下側のレール５３に挿通される筒体と接触される、板ばね６１と同様の板ばねが、シャッター５１の下側の面上い取付けらている。
【００２７】
そして、シャッター５１の右縁がストッパー５５に衝合するときは、シャッター５１の左側の下側も、筒体が湾曲した板ばね上に乗り上げ、筒体及び板ばねの共同によって、シャッター５１は、フロントパネル４９側に押し付けられ、フロントパネル４９の挿脱口５０は、シャッター５１によって、密閉する如く閉じられる。
【００２８】
シャッター５１の移動は、手動も可能であるが、ここでは、モータによって移動可能である。このモータによるシャッター５１の駆動手段について、図４を参照して説明する。
【００２９】
シャッター５１の下側に、これと直角に張出部５１ｃが設けられ、その張出部５１ｃの側面にラック５１ｄを形成する。そして、このラック５１ｄと噛合する小歯車（ピニオン）６２を設ける。この小歯車６２は、軸６２Ｘの回りに回転自在とされる。更に、この小歯車６２と噛合する小歯車６３を設け、その回転軸６３Ｘを、モータ６４によって回転駆動するようにする。かくすると、モータ６４の回転方向に応じて、シャッター５１が、左右に移動する。図４では、例えば、シャッター５１が左方向に移動する場合の、各部材の移動方向を矢示している。
【００３０】
上述の例においては、記録媒体がテープカセットである場合について述べたが、記録媒体はこれに限られるものではなく、磁気ディスク、光ディスク、光磁気ディスク等であっても良い。
【００３１】
【発明の効果】
第１の発明によれば、筐体と、その筐体内に設けられた記録媒体の駆動装置と、記録媒体を筐体内に挿入すると共に、その筐体内から外部に脱却するためにその筐体の一部を構成するパネルに設けられた挿脱口と、その挿脱口を開閉するシャッターとを有する電子機器において、シャッターをスライド式シャッタにて構成すると共に、シャッターによって挿脱口を閉じたとき、そのシャッターをパネルに押し付ける複数の板ばねを設けたので、シャッターの開閉に要する空間が小さくて済むと共に、シャッターが挿脱口を閉じているときは、パネルとシャッターとの間の密閉性が高くなって、パネルとシャッターとの間から、筐体の内部に外部からの塵埃や異物が侵入し難くなる電子機器を得ることができる。
【００３２】
さらに第１の発明の電子機器は、複数の板ばねは、第１乃至第４の板ばねから構成されると共に、スライド式シャッターが移動案内される互いに平行な上下一対のレールと、シャッターが挿脱口を閉じるとき、そのシャッターの左右の縁部の一方の縁部が衝合するストッパーと、シャッターの移動に伴って、上下一対のレールによって移動案内される上下一対の筒体とを有し、第１及び第２の板ばねは、シャッターの左右の縁部の一方の縁部がストッパーに衝合したとき、そのシャッターをパネルに押し付けるように、ストッパーに取付けられると共に、第３及び第４の板ばねは、シャッターの左右の縁部の一方の縁部がストッパーに衝合したとき、上下一対の筒体と接触して、シャッターをパネルに押し付けるように、シャッターの左右の縁部の他方の縁部寄りの一対のレールにそれぞれ対向する面上に取り付けられてなるので、シャッターの開閉に要する空間が小さくて済むと共に、シャッターが挿脱口を閉じているときは、パネルとシャッターとの間の密閉性が高くなって、パネルとシャッターとの間から、筐体の内部に外部からの塵埃や異物が侵入し難くなる電子機器を得ることができる。
【００３４】
第２の発明によれば、第１の発明の電子機器において、記録媒体はテープカセットであると共に、記録媒体の駆動装置はテープカセット駆動装置であり、複数のテープカセットをそれぞれ保持する保持手段を備えた回動テーブル並びに回動テーブルの保持手段及びテープカセット駆動装置間におけるテープカセットの搬送を行う搬送機並びに内部エアーを吐き出すファンが、筐体内に収容されてなると共に、筐体には、エアーフィルタを備えたエアー吸い込み口が設けられてなるので、シャッターの開閉に要する空間が小さくて済むと共に、シャッターが挿脱口を閉じているときは、パネルとシャッターとの間の密閉性が高くなって、パネルとシャッターとの間から、筐体の内部に外部からの塵埃や異物が侵入し難くなるライブラリー装置の電子機器を得ることができる。
【図面の簡単な説明】
【図１】Ａ  シャッターを示す正面図であって、シャッターがフロントパネルの挿脱口を閉じた状態を示す。Ｂ  シャッターを示す正面図であって、シャッターが僅か開いた状態を示す。
【図２】図１における板ばねの拡大側面図である。
【図３】Ａ  シャッターの上面図であって、シャッターがフロントパネルの挿脱口を閉じた状態を示す。Ｂ  シャッターの上面図であって、シャッターが僅か開いた状態を示す。Ｃ  Ａ及びＢの図において、レールのみを抽出して示した上面図である。
【図４】シャッターの駆動機構を示す配置図である。
【図５】本発明の実施の形態の電子機器を適用したライブラリー装置の例を示す斜視図である。
【図６】本発明の実施の形態の電子機器を適用したライブラリー装置の例を斜め下方から見た斜視図である。
【符号の説明】
４９  フロントパネル、５０  挿脱口、５１  シャッター、５２、５３  レール、５４、５５  ストッパ、５６、５７  板ばね。
【図１】
0004310938.tif 000002
【図２】
0004310938.tif 000003
【図３】
0004310938.tif 000004
【図４】
0004310938.tif 000005
【図５】
0004310938.tif 000006
【図６】
0004310938.tif 000007